(57)【要約】【課題】ＨＤＭＩ規格に準拠したＨＤＭＩ端子を有する電子機器から、ＨＤＭＩ規格に準拠した他の電子機器を制御する場合において、制御する側のリモコンの操作性の向上を図る。【解決手段】リモコン送信機４１によってＴＶ信号処理部２４のＨＤＭＩ端子２４ｂに接続されたＤＶＤレコーダ３０の動作制御が可能なテレビジョン受信装置であって、リモコン送信機４１は、ＤＶＤレコーダ３０の動作を制御する制御コードの設定が可能な１または複数の制御キーを備えており、ユーザの設定操作に基づいて各制御キーにＤＶＤレコーダ３０の動作を制御する各種制御コードがそれぞれ設定されている。また、リモコン送信機４１は、各制御キーに設定されている制御内容をモニタ部２６の画面にＯＳＤ表示させるための機能表示キーを備えている。【選択図】図１
2009065267.tif 000002
【特許請求の範囲】
【請求項１】
遠隔操作手段によって外部接続端子に接続された他の電子機器の動作制御が可能なインターフェース回路と、ＯＳＤ表示が可能な表示手段とを備えた電子機器において、
前記遠隔操作手段は、前記他の電子機器の動作を制御する制御コードの設定が可能な１または複数の制御キーを備えており、ユーザの設定操作に基づいて前記各制御キーに前記他の電子機器の動作を制御する各種制御コードがそれぞれ設定されていることを特徴とする電子機器。
【請求項２】
ユーザの設定操作時、前記制御キーへの制御コードの割り当て設定画面を前記表示手段にＯＳＤ表示し、このＯＳＤ画面上で制御コードの設定操作が行われることを特徴とする請求項１に記載の電子機器。
【請求項３】
前記遠隔操作手段は、前記各制御キーに設定されている制御内容を前記表示手段にてＯＳＤ表示させるための機能表示キーを備えていることを特徴とする請求項１に記載の電子機器。
【請求項４】
前記制御キーが数字キーと兼用されており、前記遠隔操作手段には、前記数字キーの操作機能を前記他の電子機器を制御する制御キーの機能に切り換える機能切換キーが設けられていることを特徴とする請求項１に記載の電子機器。
【請求項５】
前記機能切換キーの操作によって前記数字キーを前記制御キーとして機能させるときには、前記表示手段にて前記数字キーに設定されている制御キーの割り当て情報をＯＳＤ表示させることを特徴とする請求項４に記載の電子機器。
【請求項６】
前記インターフェース回路が、ＨＤＭＩ（High Definition Multimedia Interface）対応のインターフェース回路であり、前記外部接続端子がＨＤＭＩ端子であることを特徴とする請求項１ないし請求項５のいずれか１項に記載の電子機器
【請求項７】
前記制御コードがＣＥＣ（Consumer Electronics Control）メッセージを含むコードであることを特徴とする請求項６に記載の電子機器。
【請求項８】
前記電子機器がテレビジョン受信装置であり、前記遠隔操作手段が当該テレビジョン受信装置のリモコン送信機であることを特徴とする請求項１ないし請求項７のいずれか１項に記載の電子機器。
【発明の詳細な説明】
【技術分野】
【０００１】
本発明は、ＨＤＭＩ（High Definition Multimedia Interface）規格に準拠したデジタルビデオ信号の入出力端子であるＨＤＭＩ端子を有し、ＨＤＭＩ規格に準拠した他の電子機器にＨＤＭＩケーブルを介して接続可能な電子機器に関する。
【背景技術】
【０００２】
近年、液晶パネル製造技術の進歩によって、ＤＶＤレコーダやハードディスク（ＨＤ）内蔵型ＤＶＤレコーダなどの情報記録再生装置に用いるテレビジョン受信装置の表示画面の高精細化が進んでおり、このようなテレビジョン受信装置や情報記録再生装置では、非常に多くのビデオデータ及びオーディオデータを送受信するため、ＨＤＭＩ対応のインターフェース回路が用いられている。
【０００３】
ＨＤＭＩは、例えばテレビジョン受信装置やプロジェクタなどの送信側とＤＶＤレコーダやＨＤ内蔵型ＤＶＤレコーダなどの受信側との間でビデオデータ及びオーディオデータを含む各種データを送受信するためのインターフェースであり、ＨＤＭＩのＣＥＣ制御機能により、例えばテレビジョン受信装置等の電源をオンすると情報記録再生装置の電源をオンさせるといった操作が可能である。
【０００４】
そこで、最近では、ＨＤＭＩ規格に準拠したＨＤＭＩ端子を有し、ＨＤＭＩ規格に準拠した他の電子機器にＨＤＭＩケーブルを介して接続可能な電子機器が種々提案されている。
【０００５】
例えば、特許文献１に記載のＡＶシステムは、異なるメーカのＡＶ装置同士を接続して利用する場合でも、１つのリモコン送信機（以下、「リモコン」ともいう。）でそれらのＡＶ装置を相互に制御できるＡＶシステムであって、例えば、Ａ社製テレビジョン装置に同梱されたリモコンには、Ａ社製テレビジョン装置を操作するための専用スイッチ群と、他機器（例えばＢ社製ＤＶＤ再生装置等）を制御するための他機器用スイッチ群とが備えられている。
【０００６】
そして、ユーザがＡ社製テレビジョン装置に向けてＡ社製テレビジョン装置に同梱のリモコンの他機器用スイッチ群の任意のスイッチを操作すると、そのスイッチに対応する機能に割り当てられた制御コードがリモコン信号として送信され、Ａ社製テレビジョン装置のリモコン受光部で受光される。Ａ社製テレビジョン装置のＣＰＵは、リモコン受光部を介して受信した制御コードが他機器を制御するための制御コードであることを認識すると、変換表に基づいて、受信した制御コードを、対応する共通制御コードに変換する。変換された共通制御コードは、ＡＶケーブルを経由してＢ社製ＤＶＤ再生装置へ伝送される。Ｂ社製ＤＶＤ再生装置のＣＰＵは、Ａ社製テレビジョン装置から受信した共通制御コードを変換表に基づいてＢ社独自コードに変換し、変換されたＢ社独自コードに基づいて各機能に対応する処理を実行するようになっている。
【特許文献１】特開２００７−９７０９５号公報
【発明の開示】
【発明が解決しようとする課題】
【０００７】
ところで、上記従来のＡＶシステムでは、リモコンに備えられている他機器用スイッチ群のそれぞれのスイッチに、制御対象である他機器の制御コードが予め割り当てられている。そのため、ユーザは、どのスイッチにどの制御コードが割り当てられているかを覚えておかなければならないといった問題があった。また、リモコンの使い方はユーザによって異なり、よく使うスイッチとあまり使わないスイッチとがある。しかし、他機器用スイッチ群のそれぞれのスイッチに制御コードが予め割り当てられている場合、ユーザによってはあまり使わないスイッチが操作しやすい位置のスイッチに割り当てられており、よく使うスイッチが操作しにくい位置のスイッチに割り当てられている、といった使用状況になっている場合もある。従って、ユーザにとっては、他機器用スイッチ群のそれぞれのスイッチに割り当てる他機器の制御コードを自由に設定できれば便利であるが、現在までのところそのようなリモコンを備えた電子機器は提供されていない。
【０００８】
また、上記従来のＡＶシステムでは、リモコンに専用スイッチ群とは別に他機器用スイッチ群を設けているので、リモコンのスイッチ数が増加する。一方、リモコン自体をあまり大型化することかできないため、必然的に個々のスイッチの大きさを小さくしたり、配置間隔を密にするといった工夫が必要となり、ユーザにとってはますます操作しにくいリモコンとなっているといった問題もあった。
【０００９】
本発明はかかる問題点を解決すべく創案されたもので、その目的は、ＨＤＭＩ規格に準拠したＨＤＭＩ端子を有する電子機器から、ＨＤＭＩ規格に準拠した他の電子機器を制御する場合において、制御する側のリモコンの操作性の向上を図った電子機器を提供することにある。
【課題を解決するための手段】
【００１０】
上記課題を解決するため、本発明の電子機器は、遠隔操作手段によって外部接続端子に接続された他の電子機器の動作制御が可能なインターフェース回路と、ＯＳＤ表示が可能な表示手段とを備えた電子機器において、前記遠隔操作手段は、前記他の電子機器の動作を制御する制御コードの設定が可能な１または複数の制御キーを備えており、ユーザの設定操作に基づいて前記各制御キーに前記他の電子機器の動作を制御する各種制御コードがそれぞれ設定されていることを特徴としている。
【００１１】
すなわち、本発明の電子機器では、遠隔操作手段の複数の制御キーに対して、他の電子機器の制御コードをユーザが自由に設定可能な構成としている。これにより、ユーザが自分の使いたい機能を複数の制御キーのそれぞれに自由に設定できるので、ユーザにとってのリモコン操作の利便性が向上するものである。
【００１２】
この場合、遠隔操作手段は、各制御キーに設定されている制御内容を表示手段にてＯＳＤ表示させるための機能表示キーを備えていてもよい。そして、ユーザの設定操作時に、ユーザがこの機能表示キーを操作することで、制御キーへの制御コードの割り当て設定画面を表示手段にてＯＳＤ表示し、このＯＳＤ画面上で制御コードの設定操作（割り当て操作）が行えるように構成してもよい。これにより、ユーザは、割り当て設定画面を見ながら各制御キーへの制御コードの割り当てを行うことができるので、割り当て作業が容易となり、また、割り当て間違いの発生も防止することが可能となる。
【００１３】
また、本発明の電子機器は、前記制御キーが数字キーと兼用されており、前記遠隔操作手段には、前記数字キーの操作機能を前記他の電子機器を制御する制御キーの機能に切り換える機能切換キーが設けらた構成としてもよい。そして、機能切換キーの操作によって数字キーを制御キーとして機能させるときには、表示手段にて数字キーに設定されている制御キーの割り当て情報をＯＳＤ表示させる構成としてもよい。このように、数字キーを用いて他の電子機器の制御を行う場合には、制御キーの割り当て情報をＯＳＤ表示させることで、ユーザは、その表示画面のキーの割り当て情報を目視により確認しながら、操作すべき数字キーを選択することができるので、操作すべき数字キーを容易かつ迅速に判断し、操作することが可能となる。これにより、ユーザによるリモコン操作の操作性を向上させることができる。
【００１４】
なお、前記インターフェース回路は、ＨＤＭＩ対応のインターフェース回路であり、前記外部接続端子は、ＨＤＭＩ端子である。また、前記制御コードは、ＣＥＣメッセージを含むコードである。
【００１５】
上記構成において、本発明の電子機器を例えばテレビジョン受信装置に適用し、遠隔操作手段をこのテレビジョン受信装置のリモコンに適用することができるが、このようなテレビジョン受信装置のリモコンに限定されるものではない。例えば、本発明の電子機器を例えばＤＶＤレコーダやハードディスク（ＨＤ）内蔵型ＤＶＤレコーダなどの情報記録再生装置に適用し、遠隔操作手段をこの情報記録再生装置のリモコンに適用することも可能である。
【発明の効果】
【００１６】
本発明の電子機器によれば、遠隔操作手段の複数の制御キーに対して、他の電子機器の制御コードをユーザが自由に設定可能な構成としたので、ユーザが自分の使いたい機能を複数の制御キーのそれぞれに自由に設定できるため、ユーザにとってリモコンの操作性、すなわちリモコンの利便性を向上させることができる。
【００１７】
また、本発明の電子機器によれば、制御キーを数字キーと兼用することで、リモコンに配置すべきキー数の増加を抑えることができる。これにより、個々のキーの大きさを従来より小さくしたり、配置間隔を従来より密にするといった工夫が不要であるため、操作機能の多様化を実現しつつ、リモコンの操作性を従来通り維持することができる。
【発明を実施するための最良の形態】
【００１８】
以下、本発明の実施の形態について、図面を参照して説明する。
【００１９】
＜実施形態１＞
図１は、本発明の電子機器をテレビジョン受信装置に適用した場合の要部の電気的構成を示す機能ブロック図である。本実施形態１のテレビジョン受信装置は、デジタル放送の受信が可能である。ただし、テレビジョン受信装置によるデジタル放送の映像及び音声の信号処理については従来周知の処理であるので、ここではＴＶ信号処理部として簡単な機能ブロックで示している。
【００２０】
本実施形態１のテレビジョン受信装置は、ＴＶ制御系２０が筐体内に格納されたもので、ＴＶ制御系２０全体を制御するＴＶマイコン２１を備えている。
【００２１】
すなわち、デジタル放送のテレビジョン信号を受信するチューナ回路２２の出力は、デジタル放送信号の信号処理を行うＴＶ信号処理部２４に接続されており、ＴＶ信号処理部２４の出力は、ＣＲＴまたは液晶パネル等のモニタ部２６に接続されている。また、ＴＶ信号処理部２４の出力は、増幅器２７を介して内部スピーカ２８に接続されている。
【００２２】
ＴＶ信号処理部２４は、テレビジョン受信装置の各種設定を行うためのメニュー画面やチャンネル選局時のチャンネル選局画面をモニタ部２６に表示するための各種設定画面を表示するＯＳＤ回路２４ａを備えている。また、ＴＶ信号処理部２４は、ＨＤＭＩ規格に準拠したデジタルビデオ信号の入出力端子であるＨＤＭＩ端子２４ｂを備えており、ＨＤＭＩ規格に準拠した他の電子機器である例えばＤＶＤレコーダ３０のＨＤＭＩ端子３０ａとＨＤＭＩケーブル４０を介して接続可能な構成となっている。
【００２３】
ＴＶマイコン２１は、チューナ回路２２を介して受信したデジタルのテレビジョン信号を映像信号や音声信号に復号し、映像信号をモニタ部２６に表示するとともに音声信号を内部スピーカ２８から出力するＴＶ信号処理部２４を制御する。
【００２４】
また、ＴＶマイコン２１には、リモコン送信機４１からの各種操作信号を受信する受信部２５の出力が接続されている。ＴＶマイコン２１は、このリモコン送信機４１から送信されてくる各種操作信号に基づいて、ＴＶ制御系２０の動作制御や、後述するＤＶＤレコーダ３０の制御コードの設定処理、及びＤＶＤレコーダ３０の制御処理などを行うようになっている。
【００２５】
また、ＴＶマイコン２１にはメモリ部２９が接続されている。メモリ部２９には、リモコン送信機４１の操作によるオートプリセット等によって各チャンネルが設定されたチャンネルテーブルの他、本装置がＨＤＭＩケーブル４０を介してＤＶＤレコーダ３０と接続された場合の接続設定（映像及び音声の設定等）を行うための処理プログラムや、リモコン送信機４１の操作によってユーザが設定したＤＶＤレコーダ３０の制御コード情報などが格納されている。これらの制御コードは、リモコン送信機４１の操作により、制御コードの割り当て設定画面から順次設定できるようになっているが、これについては後述する。
【００２６】
図２は、本実施形態１のリモコン送信機４１のキー配置構造の要部の一例を示している。
【００２７】
このリモコン送信機４１は、電源キー４１ａ、メニューキー４１ｂ、数字キー４１ｃ、チャンネルアップ・ダウンキー４１ｄ、音量アップ・ダウンキー４１ｅ、外部接続機器であるＤＶＤレコーダ３０を制御する複数個（この例では４個として説明しているが、４個に限定されるものではない。）の制御キー４１ｆ〜４１ｉ、各制御キー４１ｆ〜４１ｉに設定されている制御内容をモニタ部２６に表示させるための機能表示キー４１ｊ、上下左右キー４１ｖ、上下左右キーの中央に配置された決定キー４１ｗなどが配置されており、これ以外にも図示は省略しているが、操作に必要な種々の機能キーが配置されている。本実施形態１では、各制御キー４１ｆ〜４１ｉのそれぞれに、ユーザが自由にＤＶＤレコーダ３０の制御コードを設定できるようになっている。ただし、ユーザが制御コードを設定しない場合においても、デフォルト値として予め各制御キー４１ｆ〜４１ｉに制御コードが設定されているものとする。従って、ユーザは、そのままそのデフォルト値で各制御キー４１ｆ〜４１ｉを使用することが可能である。
【００２８】
次に、上記構成において、各制御キー４１ｆ〜４１ｉにユーザが制御コードを設定する（割り当てる）処理（設定操作）について、具体的に説明する。
【００２９】
まず、ユーザは、テレビジョン受信装置の電源をオンした状態で、リモコン送信機４１のメニューキー４１ｂを操作して、モニタ部２６の画面にメニュー一覧（図示省略）を表示する。そして、その一覧表示の中から制御キーの設定項目を選択し（例えば、画面中のカーソルを上下左右キー４１ｖで制御キーの設定項目欄の上まで移動させて）、決定キー４１ｗを操作すると、モニタ部２６の画面には、図３に示すような制御キーの設定項目画面（制御コード割り当て設定画面）１００が表示される。なお、ここで言うカーソルは、矢印のような図形表示の場合だけでなく、例えば項目欄を反転表示や強調表示するなど、表示形態を他と異ならせることによって指し示す場合も含まれる。
【００３０】
この画面１００には、リモコン送信機４１に配置されている各制御キー４１ｆ〜４１ｉが画面左側に表示され（ただし、図３には、制御キー１、制御キー２、制御キー３、制御キー４として表示されている）、これに対応するように画面右側に、割り当てる制御コードを設定するための機能欄が表示されている。この機能欄は、最初は空欄となっている。
【００３１】
ここで、ＣＥＣ制御機能を有するテレビジョン受信装置では、ＣＥＣ制御のための各種制御コード（ＣＥＣメッセージ）を予め内部（例えば、メモリ部２９の所定の領域）に保持している。従って、ユーザがリモコン送信機４１の上下左右キー４１ｖを操作してカーソルを所望の機能欄に移動すると、その欄の横に例えば制御コード（ＣＥＣメッセージ）の一覧を表示し、その中から設定する一つの制御コード（ＣＥＣメッセージ）をユーザに選択させるようにすることができる。
【００３２】
ユーザは、このようにして各制御キー４１ｆ〜４１ｉに所望の制御コードを順次設定する。そして、全ての（若しくは任意の）制御キー４１ｆ〜４１ｉに所望の制御コードを設定すると、最後に画面右下に表示されている「決定」の項目欄にカーソルを移動し、リモコン送信機４１の決定キー４１ｗを操作すると、各制御キー４１ｆ〜４１ｉにＤＶＤレコーダ３０の制御コードが最終設定されることになる。すなわち、ＴＶマイコン２１は、各制御キー４１ｆ〜４１ｉと対応する制御コードとを例えばメモリ部２９の所定の領域に保存する。これにより、以後は、リモコン送信機４１をテレビジョン受信装置に向けた状態で各制御キー４１ｆ〜４１ｉを操作することで、ＨＤＭＩケーブル４０を介して接続されたＤＶＤレコーダ３０の動作制御を行うことが可能となる。すなわち、ＴＶマイコン２１は、任意の制御キー４１ｆ〜４１ｉが操作されると、これを受けてメモリ部２９から対応する制御コードを読み出し、この読み出した制御コード（ＣＥＣメッセージ）をＨＤＭＩケーブル４０を介してＤＶＤレコーダ３０に送信する。ＤＶＤレコーダ３０は、この制御コード（ＣＥＣメッセージ）を受け取ると、その制御コード（ＣＥＣメッセージ）に従って制御動作を実行する。
【００３３】
因みに、図３では、制御キー４１ｆ（制御キー１）に「再生」が設定され、制御キー４１ｇ（制御キー２）に「停止」が設定され、制御キー４１ｈ（制御キー３）に「取り出し」が設定され、制御キー４１ｉ（制御キー４）に「電源（オン／オフ）」が設定されている。
【００３４】
例えば、ユーザがテレビジョン受信装置で何らかの番組を視聴中に、ＤＶＤレコーダ３０に装填されている光ディスク（ＤＶＤ）を再生したいと考えた場合には、リモコン送信機４１の図示しないモード切換キーを操作して、テレビジョン受信装置をビデオモード（外部入力モード）に切り換えた後、リモコン送信機４１の制御キー４１ｉを操作してＤＶＤレコーダ３０の電源をオンし、次に、リモコン送信機４１の制御キー４１ｆを操作する。これにより、ＤＶＤレコーダ３０は装填中の光ディスク（若しくは、ＨＤ（ハードディスク）内蔵型ＤＶＤレコーダの場合には内蔵のＨＤ）に記録されている情報の再生を開始することになる。
【００３５】
ここで、各制御キー４１ｆ〜４１ｉには、ユーザによって自由に制御コードが設定されているため、どの制御キーにどの制御コードを設定したのか忘れてしまっている場合がある。また、家族で使用する場合、設定したのがお父さんであった場合には、お母さんや子供は、どの制御キーにどの制御コードが設定されているのかわからない。さらに、お父さんが設定した内容を、お母さんがさらに設定変更している場合もある。そのため、制御キーの操作を誤ってしまう場合がある。
【００３６】
そこで、本実施形態１では、制御キーを操作する前に、まず、リモコン送信機４１の機能表示キー４１ｊを操作する。これにより、この操作信号を受け取ったＴＶマイコン２１は、図４に示すように、メモリ部２９に保存している各制御キー４１ｆ〜４１ｉと制御コードとの対応関係（制御キーの割り当て情報）を、視聴中の番組画面の下部分に表示する。これにより、ユーザは、その対応関係を目視により確認しながらリモコン送信機４１の各制御キー４１ｆ〜４１ｉを操作することができるので、制御キーの操作ミスを防ぐことができる。
【００３７】
＜実施形態２＞
上記実施形態１では、リモコン送信機４１に制御キー４１ｆ〜４１ｉを別途設ける構成としているが、このように制御キーを別途設けると、リモコン送信機４１に配置するキー数が増加するため、キーサイズの小型化やキー配置スペースの縮小化が必要となる。そこで、本実施形態２では、このような制御キーを数字キー４１ｃによって兼用するようにしたものである。なお、本実施形態２のテレビジョン受信装置のハードウェア構成は、上記実施形態１で説明した図１に示すハードウェア構成と同じであるので、本実施形態２においても図１に示したハードウェア構成を用いて説明を行うものとする。
【００３８】
図５は、本実施形態２のリモコン送信機４１のキー配置構造の要部の一例を示している。
【００３９】
このリモコン送信機４１は、電源キー４１ａ、メニューキー４１ｂ、外部接続機器であるＤＶＤレコーダ３０を制御する複数個の制御キーを兼用する数字キー４１ｃ（４１ｃ０〜４１ｃ９）、チャンネルアップ・ダウンキー４１ｄ、音量アップ・ダウンキー４１ｅ、上下左右キー４１ｖ、上下左右キーの中央に配置された決定キー４１ｗ、数字キー４１ｃの数字としての操作機能を、ＤＶＤレコーダ３０の制御キーの機能に切り換えるための機能切換キー４１ｍなどが配置されており、これ以外にも図示は省略しているが、操作に必要な種々の機能キーが配置されている。本実施形態２では、各数字キー４１ｃ０〜４１ｃ９のそれぞれに、ユーザが自由にＤＶＤレコーダ３０の制御コードを設定できるようになっている。なお、ここでは、数字キーの数値を添え字として付することによって、各数字キーを区別している。
【００４０】
次に、上記構成において、各数字キー４１ｃ０〜４１ｃ９にユーザが制御コードを設定する（割り当てる）処理（設定操作）について、具体的に説明する。
【００４１】
まず、ユーザは、テレビジョン受信装置の電源をオンした状態で、リモコン送信機４１のメニューキー４１ｂを操作して、モニタ部２６の画面にメニュー一覧（図示省略）を表示する。そして、その一覧表示の中から制御キーの設定項目を選択し（例えば、画面中のカーソルを上下左右キー４１ｖで制御キーの設定項目欄の上まで移動させて）、決定キー４１ｗを操作すると、モニタ部２６の画面には、図６に示すような数字キーの設定項目画面（制御コード割り当て設定画面）２００が表示される。
【００４２】
この画面２００には、リモコン送信機４１に配置されている各数字キー４１ｃ０〜４１ｃ９が画面左側に表示され、これに対応するように画面右側に、割り当てる制御コードを設定するための機能欄が表示されている。この機能欄は、最初は空欄となっている。
【００４３】
従って、ユーザがリモコン送信機４１の上下左右キー４１ｖを操作してカーソルを所望の機能欄に移動すると、その欄の横に例えば制御コード（ＣＥＣメッセージ）の一覧を表示し、その中から設定する一つの制御コード（ＣＥＣメッセージ）をユーザに選択させる。
【００４４】
ユーザは、このようにして各数字キー４１ｃ０〜４１ｃ９に所望の制御コードを順次設定する。そして、全ての（若しくは任意の）数字キー４１ｃ０〜４１ｃ９に所望の制御コードを設定すると、最後に画面右下に表示されている「決定」の項目欄にカーソルを移動し、リモコン送信機４１の決定キー４１ｗを操作すると、各数字キー４１ｃ０〜４１ｃ９にＤＶＤレコーダ３０の制御コードが最終設定されることになる。すなわち、ＴＶマイコン２１は、各数字キー４１ｃ０〜４１ｃ９と対応する制御コードとを例えばメモリ部２９の所定の領域に保存する。これにより、リモコン送信機４１の機能切換キー４１ｍを操作して数字キー４１ｃを制御キーの機能に切り換えた後、リモコン送信機４１をテレビジョン受信装置に向けた状態で各数字キー４１ｃ０〜４１ｃ９を操作することで、ＨＤＭＩケーブル４０を介して接続されたＤＶＤレコーダ３０の動作制御を行うことが可能となる。すなわち、ＴＶマイコン２１は、任意の数字キー４１ｃ０〜４１ｃ９が操作されると、これを受けてメモリ部２９から対応する制御コードを読み出し、この読み出した制御コード（ＣＥＣメッセージ）をＨＤＭＩケーブル４０を介してＤＶＤレコーダ３０に送信する。ＤＶＤレコーダ３０は、この制御コード（ＣＥＣメッセージ）を受け取ると、その制御コード（ＣＥＣメッセージ）に従って制御動作を実行する。
【００４５】
因みに、図６では、数字キー４１ｃ１（数字１）に「再生」が設定され、数字キー４１ｃ２（数字２）に「停止」が設定され、数字キー４１ｃ３（数字３）に「取り出し」が設定され、数字キー４１ｃ４（数字４）に「電源（オン／オフ）」が設定されている。
【００４６】
例えば、ユーザがテレビジョン受信装置で何らかの番組を視聴中に、ＤＶＤレコーダ３０に装填されている光ディスク（ＤＶＤ）を再生したいと考えた場合には、リモコン送信機４１の図示しないモード切換キーを操作して、テレビジョン受信装置をビデオモード（外部入力モード）に切り換えた後、リモコン送信機４１の機能切換キー４１ｍを操作して、リモコン送信機４１の数字キー４１ｃの機能を制御キーとしての機能に切り換える。この後、リモコン送信機４１の数字キー４１ｃ４を操作してＤＶＤレコーダ３０の電源をオンし、次に、リモコン送信機４１の数字キー４１ｃ１を操作する。これにより、ＤＶＤレコーダ３０は装填中の光ディスク（若しくは、ＨＤ（ハードディスク）内蔵型ＤＶＤレコーダの場合には内蔵のＨＤ）に記録されている情報の再生を開始することになる。
【００４７】
ここで、各数字キー４１ｃ０〜４１ｃ９には、ユーザによって自由に制御コードが設定されているため、どの数字キーにどの制御コードを設定したのか忘れてしまっている場合がある。また、家族で使用する場合、設定したのがお父さんであった場合には、お母さんや子供は、どの制御キーにどの制御コードが設定されているのかわからない。さらに、お父さんが設定した内容を、お母さんがさらに設定変更している場合もある。そのため、制御キーの操作を誤ってしまう場合がある。
【００４８】
そこで、本実施形態２では、リモコン送信機４１の機能切換キー４１ｍを操作したときに、この操作信号を受け取ったＴＶマイコン２１は、図７に示すように、メモリ部２９に保存している各数字キー４１ｃ０〜４１ｃ９と制御コードとの対応関係（制御キーの割り当て情報）を、視聴中の番組画面の下部分に表示する。これにより、ユーザは、その対応関係を目視により確認しながらリモコン送信機４１の各数字キー４１ｃ０〜４１ｃ９を制御キーとして操作することができるので、制御キーの操作ミスを防ぐことができる。なお、図７では、数字キーと対応する制御機能とを単に文字表記のみで表示しているが、例えばリモコン送信機４１の数字キー４１ｃと同じキー配置を画面隅に表示し、該当するキーの中、若しくはキーの下に「再生」、「停止」、「取り出し」、「電源」といった文字を表記するようにしてもよい。これにより、ユーザは、実際のリモコン送信機４１のキー配置と同じ配置で各制御機能を確認することができるので、数字キーを操作するときの操作ミスをより確実に防止することができる。
【００４９】
なお、この状態で機能切換キー４１ｍを再度操作すると、各数字キー４１ｃ０〜４１ｃ９は再び数値入力のための通常のキー機能に復帰する。
【図面の簡単な説明】
【００５０】
【図１】本発明の電子機器をテレビジョン受信装置に適用した場合の要部の電気的構成を示す機能ブロック図である。
【図２】実施形態１に係るリモコン送信機のキー配置構造の要部の一例を示す説明図である。
【図３】実施形態１に係る制御キーの設定項目画面（制御コード割り当て設定画面）の一例を示す説明図である。
【図４】メモリ部に保存している各制御キーと制御コードとの対応関係を視聴中の番組画面の下部分に表示した例を示す説明図である。
【図５】実施形態２に係るリモコン送信機のキー配置構造の要部の一例を示す説明図である。
【図６】実施形態２に係る制御キーの設定項目画面（制御コード割り当て設定画面）の一例を示す説明図である。
【図７】メモリ部に保存している各数字キーと制御コードとの対応関係を視聴中の番組画面の下部分に表示した例を示す説明図である。
【符号の説明】
【００５１】
２０  ＴＶ制御系
２１  ＴＶマイコン
２２  チューナ回路
２４  ＴＶ信号処理部
２４ａ  ＯＳＤ回路
２４ｂ  ＨＤＭＩ端子
２５  受信部
２６  モニタ部
２７  増幅器
２８  内部スピーカ
２９  メモリ部
３０  ＤＶＤレコーダ
３０ａ  ＨＤＭＩ端子
４０  ＨＤＭＩケーブル
４１  リモコン送信機
４１ａ  電源キー
４１ｂ  メニューキー
４１ｃ（４１ｃ０〜４１ｃ９）  数字キー
４１ｄ  チャンネルアップ・ダウンキー
４１ｅ  音量アップ・ダウンキー
４１ｆ〜４１ｉ  制御キー
４１ｊ  機能表示キー
４１ｖ  上下左右キー
４１ｗ  決定キー
【図１】
2009065267.tif 000003
【図２】
2009065267.tif 000004
【図３】
2009065267.tif 000005
【図４】
2009065267.tif 000006
【図５】
2009065267.tif 000007
【図６】
2009065267.tif 000008
【図７】
2009065267.tif 000009